(57)【要約】【課題】煩雑な作業を行うことなく、監視カメラの調整を行うことが可能な監視カメラシステムを提供すること。【解決手段】通信回線網３００を介して監視カメラ１００とサーバ２００とが接続されたシステムであって、監視カメラ１００は、所定の機能を動作させるモータ６８と、モータ６８を動作させるための調整値の要求を、監視カメラ１００の設置場所の形態パターンに応じてサーバ２００へ送信する送信部１０２と、サーバ２００から調整値を受信する受信部１０２と、受信した調整値に基づいてモータ６８を制御する駆動制御部１０６と、を備え、サーバ２００は、形態パターンと対応付けて調整値を記憶したデータベース２０４と、監視カメラ１００からの要求に応じて、特定の形態パターンにおける調整値をデータベース２０４から抽出する抽出部と、抽出した調整値を監視カメラへ送信する送信部と、を備える。【選択図】図４
2008172425.tif 000002
【特許請求の範囲】
【請求項１】
通信回線網を介して監視カメラとサーバとが接続された監視カメラシステムであって、
前記監視カメラは、
所定の機能を動作させる駆動部と、
前記駆動部を動作させるための調整値の要求を、前記監視カメラが設置される場所の形態パターン又は前記監視カメラの動作パターンに応じて前記サーバへ送信する送信部と、
前記サーバから前記調整値を受信する受信部と、
受信した前記調整値に基づいて前記駆動部を制御する駆動制御部と、を備え、
前記サーバは、
前記形態パターン又は前記動作パターンと対応付けて前記調整値を記憶したデータベースと、
前記監視カメラからの要求に応じて、特定の前記形態パターン又は特定の前記動作パターンにおける前記調整値を前記データベースから抽出する抽出部と、
抽出した前記調整値を前記監視カメラへ送信する送信部と、
を備えることを特徴とする、監視カメラシステム。
【請求項２】
前記所定の機能は、前記監視カメラのフォーカス位置調整機能、ズーム位置調整機能、パン位置調整機能、及びチルト位置調整機能の少なくとも１つであることを特徴とする、請求項１に記載の監視カメラシステム。
【請求項３】
前記サーバの前記データベースは、前記形態パターンにおける前記監視カメラの位置情報と前記調整値とを対応付けて記憶し、
前記サーバの前記送信部は、前記データベースから抽出した前記調整値と当該調整値に対応する前記位置情報とを前記監視カメラに送信し、
前記監視カメラは、
設置位置を表す位置情報を記憶する記憶部と、
前記サーバから受信した位置情報と、前記記憶部に記憶された位置情報との認証を行う認証部と、を備え、
前記駆動制御部は、前記認証部における認証が成立した場合に、前記調整値に基づいて前記駆動部を制御することを特徴とする、請求項１又は２に記載の監視カメラシステム。
【請求項４】
通信回線網を介して監視カメラとサーバとが接続された監視カメラシステムで用いられる監視カメラの調整方法であって、
前記監視カメラの駆動部を動作させるための調整値を、前記監視カメラが設置される場所の形態パターン又は前記監視カメラの動作パターンに応じて、前記サーバへ要求するステップと、
前記調整値の要求を受信した前記サーバが、前記監視カメラからの要求に応じて、特定の前記形態パターン又は特定の前記動作パターンにおける前記調整値をデータベースから抽出するステップと、
抽出した前記調整値を前記監視カメラへ送信するステップと、
前記監視カメラが受信した前記調整値に基づいて前記駆動部を制御するステップと、
を備えることを特徴とする、監視カメラの調整方法。
【請求項５】
前記駆動部は、前記監視カメラのフォーカス位置調整、ズーム位置調整、パン位置調整、及びチルト位置調整の少なくとも１つを行うことを特徴とする、請求項４に記載の監視カメラの調整方法。
【発明の詳細な説明】
【技術分野】
【０００１】
本発明は、監視カメラシステム及び監視カメラの調整方法に関する。
【背景技術】
【０００２】
近時においては、例えば金融機関、商品を販売する店舗、公共施設等において、監視カメラ（監視用CCTVカメラ）が広く用いられている。特に近年では、ドーム型の小型の監視カメラの需要が高くなっている。
【０００３】
監視カメラを店舗などに設置する際は、所定の位置に設置した後、所望の画像を得るためにフォーカス位置、ズーム位置を調整する必要がある。また、所望の領域を撮像するため、パン調整、チルト調整を行う必要がある。
【０００４】
光学機器のプログラム書き換えに関して、特開２０００−５０１４２号公報には、外部からの信号によりプログラムを書き換える技術が記載されている。
【０００５】
【特許文献１】特開２０００−５０１４２号公報
【発明の開示】
【発明が解決しようとする課題】
【０００６】
しかしながら、店舗や公共施設に監視カメラシステムを導入する際、または既に導入された監視カメラの動作パターンを改変する際には、複数の監視カメラのそれぞれについて、上述したフォーカス位置、ズーム位置、パン位置、チルト位置のそれぞれを調整する必要が生じる。この際、実際にカメラを動かして撮影領域を調整する場合もあり、監視カメラの調整に非常に煩雑な作業が必要となっていた。
【０００７】
そこで、本発明は、上記問題に鑑みてなされたものであり、本発明の目的とするところは、煩雑な作業を行うことなく、監視カメラの調整を行うことが可能な、新規かつ改良された監視カメラシステム、監視カメラの調整方法を提供することにある。
【課題を解決するための手段】
【０００８】
上記課題を解決するために、本発明のある観点によれば、通信回線網を介して監視カメラとサーバとが接続された監視カメラシステムであって、前記監視カメラは、所定の機能を動作させる駆動部と、前記駆動部を動作させるための調整値の要求を、前記監視カメラが設置される場所の形態パターン又は前記監視カメラの動作パターンに応じて前記サーバへ送信する送信部と、前記サーバから前記調整値を受信する受信部と、受信した前記調整値に基づいて前記駆動部を制御する駆動制御部と、を備え、前記サーバは、前記形態パターン又は前記動作パターンと対応付けて前記調整値を記憶したデータベースと、前記監視カメラからの要求に応じて、特定の前記形態パターン又は特定の前記動作パターンにおける前記調整値を前記データベースから抽出する抽出部と、抽出した前記調整値を前記監視カメラへ送信する送信部と、を備える監視カメラシステムが提供される。
【０００９】
上記構成によれば、監視カメラの駆動部を動作させるための調整値の要求が、監視カメラが設置される場所の形態パターン又は監視カメラの動作パターンに応じてサーバへ送信される。サーバでは、形態パターン又は動作パターンと対応付けて調整値を記憶したデータベースから、監視カメラからの要求に応じて、特定の形態パターン又は特定の動作パターンにおける調整値が抽出され、監視カメラへ送信される。そして、監視カメラでは、受信した調整値に基づいて駆動部が制御される。従って、監視カメラが設置される場所の形態パターン又は監視カメラの動作パターンに応じて取得された調整値に基づいて駆動部を制御することが可能となり、監視カメラの調整の作業効率を大幅に向上することができる。
【００１０】
また、前記所定の機能は、前記監視カメラのフォーカス位置調整機能、ズーム位置調整機能、パン位置調整機能、及びチルト位置調整機能の少なくとも１つであっても良い。かかる構成によれば、監視カメラが設置される場所の形態パターン又は監視カメラの動作パターンに応じてサーバから送られた調整値に基づいて、フォーカス位置調整機能、ズーム位置調整機能、パン位置調整機能、及びチルト位置調整機能のいずれかを行うことが可能となる。
【００１１】
また、前記サーバの前記データベースは、前記形態パターンにおける前記監視カメラの位置情報と前記調整値とを対応付けて記憶し、前記サーバの前記送信部は、前記データベースから抽出した前記調整値と当該調整値に対応する前記位置情報とを前記監視カメラに送信し、前記監視カメラは、設置位置を表す位置情報を記憶する記憶部と、前記サーバから受信した位置情報と、前記記憶部に記憶された位置情報との認証を行う認証部と、を備え、前記駆動制御部は、前記認証部における認証が成立した場合に、前記調整値に基づいて前記駆動部を制御するものであっても良い。かかる構成によれば、調整値に対応付けられた位置情報と、監視カメラの設置位置を表す位置情報との認証が成立した場合に、調整値に基づいて監視カメラの駆動部が制御されるため、監視カメラの位置情報に応じて駆動部を最適に制御することが可能となる。
【００１２】
また、上記課題を解決するために、本発明の別の観点によれば、通信回線網を介して監視カメラとサーバとが接続された監視カメラシステムで用いられる監視カメラの調整方法であって、前記監視カメラの駆動部を動作させるための調整値を、前記監視カメラが設置される場所の形態パターン又は前記監視カメラの動作パターンに応じて、前記サーバへ要求するステップと、前記調整値の要求を受信した前記サーバが、前記監視カメラからの要求に応じて、特定の前記形態パターン又は特定の前記動作パターンにおける前記調整値をデータベースから抽出するステップと、抽出した前記調整値を前記監視カメラへ送信するステップと、前記監視カメラが受信した前記調整値に基づいて前記駆動部を制御するステップと、を備える監視カメラの調整方法が提供される。
【００１３】
上記構成によれば、監視カメラの駆動部を動作させるための調整値が、監視カメラが設置される場所の形態パターン又は監視カメラの動作パターンに応じてサーバに要求される。サーバでは、監視カメラからの要求に応じて、特定の形態パターン又は特定の動作パターンにおける調整値がデータベースから抽出され、監視カメラへ送信される。そして、監視カメラでは、受信した調整値に基づいて駆動部が制御される。従って、監視カメラが設置される場所の形態パターン又は監視カメラの動作パターンに応じて取得された調整値に基づいて駆動部を制御することが可能となり、監視カメラの調整の作業効率を大幅に向上することができる。
【００１４】
また、前記駆動部は、前記監視カメラのフォーカス位置調整、ズーム位置調整、パン位置調整、及びチルト位置調整の少なくとも１つを行うものであっても良い。かかる構成によれば、監視カメラが設置される場所の形態パターン又は監視カメラの動作パターンに応じてサーバから送られた調整値に基づいて、フォーカス位置調整機能、ズーム位置調整機能、パン位置調整機能、及びチルト位置調整機能のいずれかを行うことが可能となる。
【発明の効果】
【００１５】
本発明によれば、煩雑な作業を行うことなく、監視カメラの調整を行うことが可能な、新規かつ改良された監視カメラシステム、監視カメラの調整方法を提供することが可能となる。
【発明を実施するための最良の形態】
【００１６】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１７】
図１は、本発明の一実施形態にかかる監視カメラ１００を示す模式図である。図１に示す監視カメラ１００は、内部にレンズ装置１０を備えた小型の監視カメラであり、ブロードバンド等を用いてインターネット回線に接続可能なＩＰカメラである。監視カメラ１００は、ドーム状の外観を有しており、基台６２、透明のケース部材６４、およびケース部材６４の内部に設けられ、レンズ装置１０を覆うカバー部材６６を備えている。
【００１８】
レンズ装置１０は、フォーカスリング１２、ズームリング１４を備えている。フォーカスリング１２を回動操作すると、レンズ装置１０が備えるフォーカスレンズ（群）１６が駆動される。また、ズームリング１４を回動操作すると、レンズ装置１０が備えるズームレンズ（群）１８が駆動される。
【００１９】
図２は、レンズ装置１０の構成を示す図であって、光軸Ｐに沿った断面を示している。図１に示すように、レンズ装置１０は固定筒２０を備えている。固定筒２０の内部には、前側（被写体側）にレンズ枠２２が配置されており、後側にレンズ枠２４が配置されている。また、固定筒２０の外側には、フォーカスリング１２、ズームリング１４が配置されている。
【００２０】
レンズ枠２２は、フォーカスレンズ（群）１６を保持する枠である。レンズ枠２２には、その周面よりも突出する係合ピン２８が装着されている。一方、固定筒２０には、光軸方向に直進溝３０が形成されており、係合ピン２８が直進溝３０に係合することによって、レンズ枠２２およびフォーカスレンズ１６が、直進溝３０にガイドされて光軸方向に直進移動するように構成されている。
【００２１】
レンズ枠２４は、ズームレンズ（群）１８を保持する枠である。レンズ枠２４には、その周面よりも突出する係合ピン３４が装着されている。一方、固定筒２０には、光軸方向に直進溝３６が形成されており、係合ピン３４が直進溝３６に係合することによって、レンズ枠２４およびズームレンズ１８が、直進溝３６にガイドされて光軸方向に直進移動するように構成されている。
【００２２】
フォーカスリング１２は、レンズ枠２２が配置される部位において、固定筒２０の外周面に回動可能に配置されている。フォーカスリング１２の内周面には、光軸に対して螺旋状にカム溝３８が形成されている。レンズ枠２２に装着された係合ピン２８は、フォーカスリング１２のカム溝３８に係合する。従って、フォーカスリング１２を回動操作すると、フォーカスリング１２のカム溝３８と固定筒２０の直進溝３０との交差位置が光軸方向に変位するとともに、その交差位置に従って係合ピン２８、レンズ枠２２、およびフォーカスレンズ１６が光軸方向に変位する。このように、フォーカスリング１２を回動操作することによって、フォーカスレンズ１６の設定位置を調整してピント調整を行うことができる。
【００２３】
ズームリング１４は、レンズ枠２４が配置される部位において、固定筒２０の外周面に回動可能に配置されている。ズームリング１４の内周面には、光軸に対して螺旋状にカム溝４０が形成されている。レンズ枠２４に装着された係合ピン３４は、ズームリング１４のカム溝４０に係合する。従って、ズームリング１４を回動操作すると、ズームリング１４のカム溝４０と固定筒２０の直進溝３６との交差位置が光軸方向に変位するとともに、その交差位置に従って係合ピン３４、レンズ枠２４、およびズームレンズ１８が光軸方向に変位する。このように、ズームリング１４を回動操作することによって、ズームレンズ１８の設定位置を調整して焦点距離（ズーム画角）を調整することができる。
【００２４】
フォーカスリング１２の外周には、ギヤ１２ａが設けられている。フォーカスリング１２のギヤ１２ａには、後述するフォーカス駆動用のモータ１１０から駆動力が伝達される。また、ズームリング１４の外周には、ギヤ１４ａが設けられている。ズームリング１４のギヤ１４ａには、ズーム駆動用のモータ１１２から駆動力が伝達される。
【００２５】
固定筒２０の後端部には、撮像素子ホルダ４４が装着されている。撮像素子ホルダ４４には、基板４６が装着されている。基板４６にはＣＣＤ（撮像素子）４８が実装されている。ＣＣＤ４８の前側にはシールゴム４９が設けられており、シールゴム４９の更に前側にはローパスフィルタ（ＯＬＰＦ）５０が配置されている。ローパスフィルタ５０の前部は、撮像素子ホルダ４４の保持部５２に当接している。また、ローパスフィルタ５０の更に前側には、ＩＲカットフィルタ５４が配置されている。ＩＲカットフィルタ５４は、赤外線をカットするフィルタと赤外線を透過するフィルタの２つを備えている。ＩＲカットフィルタ５４が備える２つのフィルタの切り換えは、モータ（不図示）の駆動によって行われる。
【００２６】
本実施形態において、レンズ装置１０の撮像光学系は、フォーカスレンズ（群）１６及びズームレンズ（群）１８によって構成され、被写体から入射した光束は、フォーカスレンズ（群）１６及びズームレンズ（群）１８によって、ＣＣＤ４８上に結像される。なお、本実施形態では前群レンズにフォーカス機能、後群レンズにズーム機能を持たせたが、前群レンズにズーム機能、後群レンズにフォーカス機能を持たせても良い。
【００２７】
図３は、監視カメラ１００が天井に取り付けられた状態を示す断面図である。レンズ装置１０は、基台６２に対して回動可能に設けられた回転台６３に設置されている。基台６２には、モータ６８が内蔵されており、モータ６８の回転軸に装着されたギヤ７０と、回転台６３の内側に形成されたギヤ７２とが係合している。従って、モータ６８を駆動すると、モータ６８の駆動力がギヤ７０、及びギヤ７２を介して回転台６３に伝達され、回転台６３が中心線Ｃを回転軸として回動する。これにより、レンズ装置１０が回動し、レンズ装置１０のパンの位置を調整することができる。
【００２８】
回転台６３には、支持部７４が設けられている。支持部７４には、回転軸７６が挿入されている。そして、レンズ装置１０は、支持部７４に対して回転軸７６を中心として回動可能に支持されている。支持部７４の近傍には、モータ７８が設置されている。また、レンズ装置１０には、回転軸７６を中心とする円弧状のギヤ８０が固定されている。そして、モータ７８の回転軸に装着されたギヤ８２と、レンズ装置１０のギヤ８０とが係合している。従って、モータ７８を駆動すると、モータ７８の駆動力がギヤ８０、及びギヤ８２を介してレンズ装置１０に伝達され、レンズ装置１０が回転軸７６を中心として回動する。これにより、図３に示すθが変動し、レンズ装置１０のチルト位置を調整することができる。
【００２９】
図４は、本実施形態に係る監視カメラシステムを示す模式図である。図４に示すように、本実施形態のシステムは、上述した監視カメラ１００と、サーバ２００とを備えており、監視カメラ１００とサーバ２００はインターネットなどの通信回線網３００によって接続されている。また、監視カメラ１００の機能を制御するため、監視カメラ１００にはコントローラ４００が接続される。
【００３０】
また、図４は、監視カメラ１００、サーバ２００、及びコントローラ４００の機能構成ブロックを示している。図４に示すように、監視カメラ１００は、通信制御部１０２、ズーム・フォーカス駆動制御部１０４、パン・チルト駆動制御部１０６、記憶部１０８を備えている。通信制御部１０２、ズーム・フォーカス駆動制御部１０４、パン・チルト駆動制御部１０６などの各機能ブロックは、ハードウェアとしての演算処理部（ＣＰＵなど）と、演算処理部の内部又は外部のメモリに格納されたコンピュータプログラム（ソフトウェア）とを含むシステムによって構成することができる。また、監視カメラ１００で行われる処理をＣＰＵに実行させるプログラムは、磁気ディスクなどの記録媒体に格納されることができる。
【００３１】
通信制御部１０２は、サーバ２００へ情報を送信する送信部、サーバ２００から情報を受信する受信部を含み、送信部、受信部の機能を制御する。ズーム・フォーカス駆動制御部１０４は、フォーカスリング１２を駆動するモータ１１０と、ズームリング１４を駆動するモータ１１２に接続されている。モータ１１０の回転軸には、フォーカスリング１２のギヤ１２ａと係合するギヤが装着されている。また、モータ１１２の回転軸には、ズームリング１４のギヤ１４ａと係合するギヤが装着されている。また、パン・チルト駆動制御部１０６は、パン駆動用のモータ６８と、チルト駆動用のモータ７８に接続されている。
【００３２】
サーバ２００は、演算処理部２０２と、データを格納するデータベース２０４を有している。サーバ２００は、監視カメラ１００へ情報を送信する送信部、監視カメラ１００から情報を受信する受信部、データベース２０４から情報を抽出する抽出部等の機能ブロックを含み、これらの機能ブロックは、ハードウェアとしての演算処理部（ＣＰＵなど）２０２と、演算処理部の内部又は外部のメモリに格納されたコンピュータプログラム（ソフトウェア）とを含むシステムによって構成することができる。
【００３３】
監視カメラ１００が店舗等の天井、壁面等に設置されると、ケース部材６４を取り外した状態で、フォーカス、ズーム、パン、チルトの調整が行われる。調整を行う際には、監視カメラ１００がコントローラ４００に接続される。コントローラ４００は、表示部４０２、操作入力部４０４を備えている。コントローラ４００としては、例えばノート型のパーソナルコンピュータを用いることができるが、これに限られず、調整のための信号を監視カメラ１００に送信できるものであれば良い。
【００３４】
本実施形態のシステムでは、監視カメラ１００のフォーカス、ズーム、パン・チルトに関する情報が通信回線網３００を介してサーバ２００から送信され、監視カメラ１００の動作が制御される。以下、コンビニエンスストアなどの店舗に監視カメラ１００を設置する場合について説明する。店舗に監視カメラ１００を設置する場合、店舗内を領域毎に監視するため、複数の監視カメラ１００が設置される。
【００３５】
店舗内で各監視カメラ１００が監視する領域に合わせて、各監視カメラ１００のフォーカス、ズーム、パン・チルトの位置が調整される。この際、１台の監視カメラ１００でフォーカス、ズーム、パン・チルトの４種類の位置調整が必要となるため、各監視カメラ毎にこれらの調整を行うこととすると、煩雑な作業が必要となる。
【００３６】
図５は、コンビニエンスストア内の監視カメラ１００の配置を示している。図５の例では、６個の監視カメラ１００ａ〜１００ｆが設置されている。このうち、監視カメラ１００ａは、入口の近傍に配置されている。また、監視カメラ１００ｂ，１００ｃ，１００ｄは、店内の隅に配置されている。また、監視カメラ１００ｅは、レジの近傍に配置され、監視カメラ１００ｆは店内のほぼ中心部に配置されている。
【００３７】
ここで、店舗の規模が同程度であり、陳列棚の配置が同様のコンビニエンスストアの場合、店舗内における各監視カメラ１００の配置は、ほぼ同じとすることができる。例えば、同一のフランチャイズチェーンのコンビニエンスストアでは、陳列棚の配置、レジの配置が、複数の予め定められたパターンに従って行われる場合がある。このような場合、各パターンの配置毎に、監視カメラ１００の位置、および各監視カメラ１００が撮影する領域は、ほぼ同一となる。従って、規模が同程度であり、店内の配置が相互に類似している店舗では、監視カメラ１００の設置場所、および各監視カメラ１００のフォーカス、ズーム、パン、チルトの調整値を同一に設定することができる。
【００３８】
このため、本実施形態では、通信回線網３００を介して、店舗の規模、店舗内の陳列棚の配置、及び店舗内の監視カメラ１００の配置が類似している店舗を検索し、検索した店舗内の形態パターンに応じて、各監視カメラ１００のフォーカス、ズーム、パン・チルトの調整値を取得する。そして、店舗内に新たに設置した監視カメラ１００の調整を自動的に行うようにしている。これにより、監視カメラ１００の設置の際に、調整のための作業を最小限に抑えることが可能となる。
【００３９】
図６は、検索の結果、サーバ２００から送られた店舗の情報をコントローラ４００の表示部４０２に表示した状態を示している。ここでは、店舗の規模、陳列棚の配置等が異なる６つの店舗Ａ〜Ｆが表示されている。また、各店舗Ａ〜Ｆに対応して、監視カメラ１００の配置位置が表示されている。
【００４０】
店舗に設置した監視カメラ１００を調整する場合、コントローラ４００の表示部４０２に表示された各店舗Ａ〜Ｆの中から、店舗の規模、陳列棚の配置、及び監視カメラ１００の設置位置が類似する店舗を選択する。店舗が選択されると、店舗に配置されている各監視カメラ１００の調整値（フォーカス、ズーム、パン・チルト）が、通信回線網３００を介して監視カメラ１００へダウンロードされる。ダウンロードした情報は、監視カメラ１００の記憶部１０８に記憶される。
【００４１】
そして、調整値に基づいて、フォーカス・ズーム駆動制御部１０４により、モータ１１０，１１２が駆動される。また、調整値に基づいて、パン・チルト駆動制御部１０６により、モータ６８，７８が駆動される。これにより、フォーカス、ズーム、パン・チルトの位置が、データベース２０４に登録された最適な位置に調整される。従って、各監視カメラ１００を個別に調整することなく、サーバ２００に登録された類似の形態の店舗の調整値を用いて、各監視カメラ１００のフォーカス、ズーム、パン・チルトの位置を最適な位置に調整することができる。
【００４２】
図７は、店舗内に設置した３つの監視カメラ１００ａ，１００ｂ，１００ｃと、サーバ２００とが接続された様子を示している。図７に示すように、３つの監視カメラ１００ａ，１００ｂ，１００ｃには、店舗内における配置位置を示すＩＤが付されている。ＩＤは、各監視カメラ１００の記憶部１０８に記憶されている。
【００４３】
サーバ２００のデータベース２０４には、店舗内における監視カメラ１００の位置を示すＩＤと、その監視カメラ１００の調整値とが対応付けられて記憶されている。表示部４０２に表示された各店舗Ａ〜Ｆの中から特定の店舗を選択すると、サーバ２００からは、各監視カメラ１００の調整値と、監視カメラ１００の店舗内の位置を示すＩＤとが対応付けられた状態で送信される。監視カメラ１００の通信制御部１０２では、サーバ２００から送信された各調整値に付されたＩＤと、記憶部１０８に記憶されているＩＤとの間で認証が行われる。そして、認証が成立した場合は、調整値が監視カメラ１００にダウンロードされる。従って、監視カメラ１００は、店舗内の位置に応じた調整値を取得することができる。各監視カメラ１００は、通信制御部１０２によってサーバ２００から送られた調整値を受信し、記憶部１０８にダウンロードする。フォーカス・ズーム駆動制御部１０４、およびパン・チルト駆動制御部１０６は、調整値に基づいて、モータ６８，７８，１１０，１１２を制御する。
【００４４】
従って、類似した形態の店舗の情報をサーバ２００からダウンロードすることで、各監視カメラ１００毎にフォーカス、ズーム、パン・チルトを調整する必要がなくなり、煩雑な作業が不要となる。従って、作業効率が向上し、調整を短時間で完了させるとともに、調整のためのコストを最小限に抑えることが可能となる。
【００４５】
なお、上述した手法により、複数の監視カメラ１００を調整した後、さらに各監視カメラ１００毎にフォーカス、ズーム、パン・チルトを微調整しても良い。
【００４６】
また上述の説明ではコンビニエンスストアの店舗を例に挙げたが、大型量販店、デパートなどへ監視カメラシステムを導入する場合も同様の手法で行うことができる。この場合、監視カメラシステムが大規模になり、監視カメラ１００の台数も多くなるため、本実施形態の手法を適用することでシステム構築にかかる作業効率、コストを大幅に削減することが可能となる。
【００４７】
また、サーバ１００からは、上述した調整値以外にも、監視カメラ１００の設定に関する他の情報を受信することが可能である。図８は、サーバ２００のデータベース２０４に格納された、監視カメラ１００の動作パターンに関する情報を示している。この動作パターンは、時系列に監視カメラ１００に所定の動作をさせる場合に適用されるものである。
【００４８】
図８の動作パターンＡでは、先ず最初の１分間に、ズームが広角に設定され、パンが０°、チルトがθ＝９０°に設定される（ステップ１）。ここで、パンの角度は所定の基準方向に対する角度である。また、チルトの角度θは、図３に示すように、水平方向に対する角度である。
【００４９】
次の２分間では、ズームが標準の位置に駆動され、パンが０°から３６０°へ変化し、回転台が１回転する。また、チルトはθ＝４５°に設定される（ステップ２）。次の１分間では、ズームが望遠に設定され、パンが０°から４５°へ変化し、チルトが７０°に設定される（ステップ３）。以降、ステップ１〜ステップ３の動作が繰り返される。
【００５０】
また、動作パターンＢでは、先ず最初の２分間に、ズームが標準に設定され、パンが０°と１８０°の間で変化し、チルトがθ＝４５°に設定される（ステップ１）。次の２分間では、ズームが望遠の位置に駆動され、パンが０°に設定され、チルトがθ＝６５°に設定される（ステップ２）。次の１分間では、ズームが望遠に設定され、パンが０°から１８０°の間で変化し、チルトが７０°に設定される（ステップ３）。次の２分間では、ズームが広角に設定され、パンが０°に設定され、チルトが９０°に設定される（ステップ４）。
【００５１】
そして、図６の場合と同様に、図８に示す複数のパターンがコントローラ４００の表示部４０２に表示される。そして、１つの動作パターンを選択すると、選択された動作パターンのデータが監視カメラ１００にダウンロードされる。
【００５２】
ダウンロードされた情報は、監視カメラ１００の記憶部１０８に格納される。ズーム・フォーカス駆動制御部１０４、パン・チルト駆動制御部１０６は、記憶部１０８に格納されたデータに基づいて、各モータ１１０，１１２，６８，７８の駆動を制御する。従って、各監視カメラ１００に動作パターンを記憶させるための煩雑な作業が不要となり、作業効率を大幅に向上することが可能となる。
【００５３】
以上説明したように本実施形態によれば、サーバ２００から送られた情報に基づいて監視カメラ１００を調整することが可能となる。従って、店舗内に複数の監視カメラ１００を設置する場合などにおいて、複数の監視カメラ１００のそれぞれを調整する必要がなくなり、作業効率を大幅に向上することが可能となる。
【００５４】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００５５】
【図１】本発明の一実施形態にかかる監視カメラを示す模式図である。
【図２】レンズ装置の構成を示す図であって、光軸Ｐに沿った断面を示す模式図である。
【図３】監視カメラが天井に取り付けられた状態を示す断面図である。
【図４】本発明の一実施形態に係る監視カメラシステムを示す模式図である。
【図５】コンビニエンスストア内の監視カメラの配置を示す模式図である。
【図６】サーバから送られた店舗の情報をコントローラの表示部４０２に表示した状態を示す模式図である。
【図７】店舗内に設置した３つの監視カメラと、サーバとが接続された様子を示す模式図である。
【図８】サーバのデータベースに格納された、監視カメラの動作パターンに関する情報を示す模式図である。
【符号の説明】
【００５６】
６８，７８，１１０，１１２    モータ
１００    監視カメラ
１０２    通信制御部
１０４    ズーム・フォーカス駆動制御部
１０６    パン・チルト駆動制御部
２００    サーバ
２０４    データベース
３００    通信回線網
【図１】
2008172425.tif 000003
【図２】
2008172425.tif 000004
【図３】
2008172425.tif 000005
【図４】
2008172425.tif 000006
【図５】
2008172425.tif 000007
【図６】
2008172425.tif 000008
【図７】
2008172425.tif 000009
【図８】
2008172425.tif 000010